(57)【特許請求の範囲】
【請求項１】
商品である苗木や種子の開花した状態を示す商品見本に取り付けるための商品見本表示板であって、台紙に、商品表示ラベル又は商品包装体を、取付手段を介して、交換可能に取り付けたことを特徴とする商品見本表示板。
【請求項２】
取付手段として、台紙、商品表示ラベル、商品包装体のいずれかに切込みを設け、前記切込みに、切込みが設けられていない商品表示ラベル、もしくは商品包装体または台紙を差し込むことにより、台紙に、商品表示ラベル又は商品包装体を取り付けるようににしたことを特徴とする請求項１記載の商品見本表示板。
【請求項３】
取付手段として、台紙に少なくとも前面の一部が透明である袋体を設け、前記袋体内に、商品表示ラベル又は商品包装体を挿入したことを特徴とする請求項１記載の商品見本表示板。
【請求項４】
取付手段として、台紙、商品表示ラベル、商品包装体のいずれかにフックを設け、このフックに、フックが設けられていない商品表示ラベル、もしくは商品包装体、または台紙に設けた孔に引っ掛けることにより、台紙に商品表示ラベル又は商品包装体を取り付けたことを特徴とする請求項１記載の商品見本表示板。
【請求項５】
取付手段として、台紙、商品表示ラベル、商品包装体のいずれかに折り片を設け、前記折り片を介して、台紙に商品表示ラベル又は商品包装体を取り付けたことを特徴とする請求項１記載の商品見本表示板。
【発明の詳細な説明】
【技術分野】
【０００１】
本発明は、園芸売場等で陳列販売されている苗木や種子の開花した状態を示す商品見本鉢（商品見本品）に取り付けて、商品情報を提供する商品見本表示板に関する。
【背景技術】
【０００２】
従来、商品である苗木の場合には、苗ラベル（商品表示ラベル）に、種子の場合には、その商品包装袋に、メーカー名、ブランド名、品種名、色等が記載され、消費者は、その苗ラベルや種子の商品包装袋の表示を目当てに購入している。
【０００３】
また、苗木や種子の開花した状態を示す見本鉢に、メーカー名、ブランド名、品種名等を表示した商品見本表示板を取り付けて、その花の商品情報を消費者に提供することもある。
【０００４】
しかし、小さな商品である苗木や種子と、それが開花した状態である商品見本鉢とは、あまりに見た目が違いすぎ、また必ずしも商品見本鉢の周辺に、その苗木や種子が展示されているとは限らず、一般消費者が、商品見本鉢とその苗木や種子との対応関係を認識するのは困難であり、店頭での販売機会にロスを生じていた。
【０００５】
また、従来の商品見本鉢には、花の種別毎に、それぞれ、商品見本表示板を作成していたので、コストが嵩んでいた。
【発明の開示】
【発明が解決しようとする課題】
【０００６】
本発明は、従来の技術が有する上記のような問題点に鑑み、商品見本品としての商品見本鉢と、商品である苗木や種子との対応関係を、容易に認識することができるとともに、コスト上も、従来のものに対して有利な商品見本表示板を提供することを目的とする。
【課題を解決するための手段】
【０００７】
本発明によると、上記課題は、次のようにして解決される。
（１）商品である苗木や種子の開花した状態を示す商品見本に取り付けるための商品見本表示板であって、台紙に、商品表示ラベル又は商品包装体を、取付手段を介して、交換可能に取り付ける。
【０００８】
（２）上記（１）項において、取付手段として、台紙、商品表示ラベル、商品包装体のいずれかに切込みを設け、前記切込みに、切込みが設けられていない商品表示ラベル、もしくは商品包装体または台紙を差し込むことにより、台紙に、商品表示ラベル又は商品包装体を取り付ける。
【０００９】
（３）上記（１）項において、取付手段として、台紙に少なくとも前面の一部が透明である袋体を設け、前記袋体内に、商品表示ラベル又は商品包装体を挿入する。
【００１０】
（４）上記（１）項において、取付手段として、台紙、商品表示ラベル、商品包装体のいずれかにフックを設け、このフックに、フックが設けられていない商品表示ラベル、もしくは商品包装体、または台紙に設けた孔に引っ掛けることにより、台紙に商品表示ラベル又は商品包装体を取り付ける。
【００１１】
（５）上記（１）項において、取付手段として、台紙、商品表示ラベル、商品包装体のいずれかに折り片を設け、前記折り片を介して、台紙に商品表示ラベル又は商品包装体を取り付ける。
【発明の効果】
【００１２】
本発明によると、次のような効果を奏することができる。
（ａ）請求項１記載の発明によると、台紙に、実際の商品である苗ポッドに取り付けてあるものと同一の商品表示ラベル又は商品包装体（種子袋）を取り付けてあるので、その商品表示ラベル等と同じ商品表示ラベル等が取り付けてある商品（苗ポッド）またはその商品包装体（種子袋）を、容易に見つけ出すことができる。
また花の種類が異なっても、商品表示ラベル又は商品包装体を、その種類のものに交換すればよいので、台紙を共用することができる。
【００１３】
（ｂ）請求項２記載の発明によると、台紙、商品表示ラベル、商品包装体のいずれかに切込みを設け、この切込みに、商品表示ラベル又は商品包装体を差し込むことにより、その商品表示ラベル等と同一のラベル等が取り付けられている商品（苗ポッド）、またはその商品包装体（種子袋）を、容易に見つけ出すことができる。
【００１４】
（ｃ）請求項３記載の発明によると、台紙に、少なくとも前面の一部が透明である袋体を取付け、前記袋体内に、商品表示ラベル又は商品包装体を挿入することにより、その商品表示ラベル等と同一のラベル等が取り付けられている商品（苗ポッド）、またはその商品包装体（種子袋）を容易に見つけ出すことができる。
【００１５】
（ｄ）請求項４記載の発明によると、台紙、商品表示ラベル、商品包装体のいずれかにフックを取付け、前記フックを用いて、台紙に商品表示ラベル等を取り付けてあるので、その商品表示ラベル等と同一のラベル等が取り付けられている商品（苗ポッド）を、容易に見つけ出すことができる。
【００１６】
（ｅ）請求項５記載の発明によると、取付手段として、台紙、商品表示ラベル、商品包装体のいずれかに折り片を設けてあるので、その商品表示ラベル等と同じ商品表示ラベル等が取り付けられている商品を、容易に見つけ出すことができる。
【発明を実施するための最良の形態】
【００１７】
以下、本発明を実施するための最良の形態を、図面に基づいて説明する。
【００１８】
図１は、本発明の商品見本表示板を見本鉢に取り付けた状態を示す正面図、図２は、商品見本表示板の正面図、図３は、苗ポッドに商品表示ラベルを取り付ける状態を示す正面図である。
【００１９】
図１に示すように、商品見本表示板(1)は、園芸売場で陳列されている苗や種子の開花した状態を示す商品見本鉢(2)に、スタンド(3)を介して取り付けられている。
【００２０】
商品見本表示板(1)は、台紙(4)と商品表示ラベル(5)とよりなり、表示ラベル(5)は、取付手段を介して台紙(4)に取り付けられている。
【００２１】
台紙(4)は、紙片の片面又は両面をラミネート加工したもの、あるいはプラスチック製ボードが良好に用いられる。
【００２２】
台紙(4)の適所には、水平方向の上部切目線(6)と下部切目線(6')が設けられており、両切目線(6)(6')に、商品表示ラベル(5)を差し込むことにより、台紙(4)に表示ラベル(5)が取り付けられている。
【００２３】
台紙(4)に商品表示ラベル(5)を取り付けるには、図２に示すように、商品表示ラベル(5)の下部の舌片(5a)を、台紙(4)の表面の上方から、上部切目線(6)の裏面側へ差し込み、次いで、下部切目線(6')より商品表示ラベル(5)の舌片(5a)を、表面側へ突出させる。
【００２４】
なお商品表示ラベル(5)の下部中央には、舌片(5a)を両側方より指で挾む際の上下に長い逃がし孔(5b)が設けられており、また商品表示ラベル(5)の側縁を、下部切目線(6')に確実に係止させるための切込み(5c)(5c)が、舌片(5a)の両側縁に設けられている。
【００２５】
商品表示ラベル(5)は、図３に示すように、本来は商品である苗ポッド(7)に差し込んで、その苗ポッド(7)に収められている苗等の商品情報を表示するためのもので、苗等の育成者名、ブランド名、品種名、開花状態を示す写真、バーコード、価格等が記載されている。
【００２６】
スタンド(3)は、垂直の挿入杆(3a)の上端に水平の支持杆(3b)を設け、かつ支持杆(3b)の両端に、上向きの挾支片(3c)(3c)を設けたものである。
【００２７】
上述の商品見本表示板(1)を、スタンド(3)を介して、商品見本鉢(2)に取り付けておけば、商品見本鉢(2)の開花した状態を目にした需要者は、商品見本表示板(1)に取り付けてある商品表示ラベル(5)と同一の商品表示ラベル(5)が取り付けてある苗ポッド(7)を捜せばよいので、商品を発見し易く、販売機会を逃すことは無くなる。
【００２８】
また、商品見本鉢(2)が異なった花の品種に変更になった場合でも、台紙(4)を共通で使用し、商品表示ラベル(5)のみを替えることにより、商品ごとに商品見本表示板(1)を作成する必要はなく、経済的である。
【００２９】
なお図示は省略したが、商品表示ラベル(5)に替えて、種子袋(8)等の商品包装体の上下の端部を、台紙(4)の上部切目線(6)及び下部切目線(6')に、それぞれ差し込んで取り付けることにより、種子(8)等の商品包装体を、台紙(4)に直接取り付けることもできる。
【００３０】
図４は、他の実施形態を示す正面図で、商品表示ラベル(5)または種子袋(8)側に、上向半円状の切目線(9)を設け、台紙(4a)の上縁に、上記切目線(9)を挟み込むことにより、商品表示ラベル(5)または種子袋(8)を取り付けることができるようになっている。
【００３１】
図５は、さらに他の実施形態を示す正面図で、台紙(4a)に上縁が開口する透明袋体(10)を貼付け、前記透明袋体(10)に、商品表示ラベル(5)または種子袋(8)を挿入することにより、台紙(4a)に商品表示ラベル(5)または種子袋(8)を取り付けるようにしてある。
【００３２】
図６は、さらに他の実施形態を示す正面図で、台紙(4a)にフック(11)を設け、商品表示ラベル(5)または種子袋(8)に設けた孔(12)を利用して前記フック(11)に吊り下げることにより、台紙(4a)に商品表示ラベル(5)または種子袋(8)を取り付けることができる。
【００３３】
図７は、さらに他の実施形態を示す正面図で、商品表示ラベル(5)または種子袋(8)の両側上部に、折り片(13)(13)を設け、台紙(4a)の上縁に前記折り片(13)(13)をもって、商品見本表示板(1)の上縁に引っ掛けることにより、商品表示ラベル(5)または種子袋(8)を取り付けるようにしてある。
【００３４】
なお図示は省略したが、取付手段として、両面テープやクリップを用いて、台紙(4)に、商品表示ラベル(5)や種子袋(8)を取り付けてもよい。
【図面の簡単な説明】
【００３５】
【図１】本発明の商品見本鉢に商品見本表示板を取り付けた状態を示す正面図である。
【図２】商品見本表示板の正面図である。
【図３】苗ポッドに商品表示ラベルを差し込む状態を示す正面図である。
【図４】他の実施形態を示す正面図である。
【図５】さらに他の実施形態を示す正面図である。
【図６】さらに他の実施形態を示す正面図である。
【図７】さらに他の実施形態を示す正面図である。
【符号の説明】
【００３６】
(1)商品見本表示板
(2)商品見本鉢
(3)スタンド
(3a)挿入杆
(3b)支持杆
(3c)挾支片
(4)(4a)台紙
(5)商品表示ラベル
(5a)舌片
(5b)逃がし孔
(5c)切込み
(6)上部切目線
(6')下部切目線
(7)苗ポッド
(8)種子袋
(9)切目線
(10)透明袋体
(11)フック
(12)孔
(13)折り片
【図１】
0004813426.tif 000002
【図２】
0004813426.tif 000003
【図３】
0004813426.tif 000004
【図４】
0004813426.tif 000005
【図５】
0004813426.tif 000006
【図６】
0004813426.tif 000007
【図７】
0004813426.tif 000008